(57)【要約】【課題】タッチパネルを使用した操作で、近接した端末へのデータ転送が、簡単かつ確実に行えるようにする。【解決手段】第１の端末Ｔ１０と第２の端末Ｔ１１との間でデータ転送を行う場合に適用される。その処理としては、第１の端末Ｔ１０が備えるタッチパネル１８が触れられることで検出した指紋のデータを保持し、第２の端末Ｔ１１が備えるタッチパネル１８が触れられることで検出した指紋のデータを第１の端末Ｔ１０に送信する。そして、第１の端末Ｔ１０に保持された指紋のデータと送信された指紋のデータとを照合する。その照合で一致が検出された場合に、第１の端末Ｔ１０が保持した所定のデータを第２の端末Ｔ１１に対して転送する構成とする。【選択図】図１
2009171234.tif 000002
【特許請求の範囲】
【請求項１】
送信させるデータを保持するデータ保持部と、
他の端末と通信する通信部と、
タッチパネルと、
前記タッチパネルに触れられた指の指紋を検出する指紋検出部と、
前記指紋検出部で検出された指紋のデータと、前記通信部が受信した指紋のデータとの照合で、一致が検出された際に、前記データ保持部に保持されたデータを、前記通信部が受信した指紋のデータの送信元の端末に対して前記通信部から送信する通信制御部とを備えたことを特徴とする
通信端末。
【請求項２】
請求項１記載の通信端末において、
前記通信制御部は、前記指紋検出部で指紋を検出した際に、前記通信部から他の端末に対して、転送準備の完了を通知させることを特徴とする
通信端末。
【請求項３】
請求項２記載の通信端末において、
前記タッチパネルは、表示を行うタッチパネルであり、
前記通信制御部は、前記一致が検出された際に、前記タッチパネルに触れられた位置に表示されたものに対応するデータを、前記データ保持部から読み出して前記通信部から送信することを特徴とする
通信端末。
【請求項４】
請求項２記載の通信端末において、
前記通信制御部は、前記指紋検出部で指紋を検出してから、予め決められた一定時間以内に前記照合による一致が検出されない場合、以後は前記照合を行わないことを特徴とする
通信端末。
【請求項５】
受信したデータを保持するデータ保持部と、
他の端末と通信する通信部と、
タッチパネルと、
前記タッチパネルに触れられた指の指紋を検出する指紋検出部と、
前記指紋検出部で検出された指紋のデータを、前記通信部で他の端末に送信すると共に、その送信後に前記通信部で受信したデータを前記データ保存部に保存させる制御を行う通信制御部とを備えたことを特徴とする
通信端末。
【請求項６】
請求項５記載の通信端末において、
前記通信制御部は、前記通信部で他の端末から転送準備の完了を受信した際に、前記指紋検出部で検出した指紋のデータの送信処理を行うことを特徴とする
通信端末。
【請求項７】
第１の端末と第２の端末との間でデータ転送を行う通信システムにおいて、
前記第１の端末として、
送信させるデータを保持するデータ保持部と、
他の端末と通信する通信部と、
タッチパネルと、
前記タッチパネルに触れられた指の指紋を検出する指紋検出部と、
前記指紋検出部で検出された指紋のデータと、前記第２の端末で検出された指紋のデータとの照合で、一致が検出された際に、前記データ保持部に保持されたデータを、前記通信部で前記第２の端末に対して送信する通信制御部とを備え、
前記第２の端末として、
受信したデータを保持するデータ保持部と、
他の端末と通信する通信部と、
タッチパネルと、
前記タッチパネルに触れられた指の指紋を検出する指紋検出部と、
前記指紋検出部で検出された指紋のデータを、前記通信部で前記第１の端末に送信すると共に、前記通信部で受信したデータを前記データ保存部に保存させる制御を行う通信制御部とを備えたことを特徴とする
通信システム。
【請求項８】
請求項７記載の通信システムにおいて、
前記第１の端末の通信制御部は、前記指紋検出部で指紋を検出した際に、前記通信部から前記第２の端末に対して、転送準備の完了を送信し、
前記第２の端末の通信制御部は、前記通信部で前記転送準備の完了を受信した際に、前記指紋検出部で検出した指紋のデータの送信処理を行うことを特徴とする
通信システム。
【請求項９】
第１の端末と第２の端末との間でデータ転送を行う通信方法であって、
前記第１の端末が備えるタッチパネルが触れられることで検出した指紋のデータを保持する第１のステップと、
前記第２の端末が備えるタッチパネルが触れられることで検出した指紋のデータを前記第１の端末に送信する第２のステップと、
前記第１のステップで保持された指紋のデータと前記第２のステップで送信された指紋のデータとを照合する第３のステップと、
前記第３のステップでの照合で一致が検出された場合に、前記第１の端末が保持した所定のデータを前記第２の端末に対して転送する第４のステップとを有することを特徴とする
通信方法。
【発明の詳細な説明】
【技術分野】
【０００１】
本発明は、例えば近隣の端末と近距離無線通信でデータ転送が可能な携帯電話端末に適用して好適な通信端末、及びその通信端末で構成される通信システム、並びにその通信システムに適用される通信方法に関する。
【背景技術】
【０００２】
従来、携帯電話端末などの通信端末においては、近距離無線通信機能を備えて、近接した２台の端末間でデータ転送が可能なものが各種実用化されている。
例えば、携帯電話端末においては、赤外線信号の送受信による近距離無線通信機能を備えて、近接した２台の携帯電話端末の間での赤外線信号の送受信で、端末の電話番号やメールアドレス、或いは端末に登録された電話帳データなどを転送することが行われている。
【０００３】
一方、複数台の端末間で、簡単にデータ転送を行うための技術としては、特許文献１に記載されたものがある。特許文献１に記載された技術は、それぞれがタッチパネルを備えたコンピュータ装置の間でデータ転送を行うものである。その処理としては、２台のコンピュータ装置を近接して配置して、一方のコンピュータ装置のタッチパネルのタッチ操作で選択されたデータを、他方のコンピュータ装置のタッチパネルのタッチ操作で受信できるようにして、２台のコンピュータ装置間でデータ転送を行うものである。このような２台のコンピュータ装置のタッチ処理でデータ転送を行うことで、２台の端末間で簡単にデータ転送が行える。
【特許文献１】特開２００４−３０２８４号公報
【発明の開示】
【発明が解決しようとする課題】
【０００４】
ところが、このようにタッチパネルのタッチ操作だけで他の機器にデータ転送が可能であると、ユーザが意図しない操作時にも、偶然に他の端末にデータが転送されてしまう可能性がある。即ち、一方の端末を操作するユーザが、送信を行うタッチ操作を行うとほぼ同時に、他方の端末を操作する別のユーザが、受信を行うタッチ操作を偶然に行ってしまうと、データが転送されてしまう。タッチパネルの操作だけで他の端末にデータを転送できる操作の簡単さは、データ転送時の操作性の簡単さからは好ましいが、このような端末を使用するユーザが意図しないデータ転送が発生する可能性があることは、データを管理する上で問題である。
【０００５】
本発明はかかる点に鑑みてなされたものであり、タッチパネルを使用した操作で、近接した端末へのデータ転送が、簡単かつ確実に行えるようにすることを目的とする。
【課題を解決するための手段】
【０００６】
本発明は、第１の端末と第２の端末との間でデータ転送を行う場合に適用される。その処理としては、第１の端末が備えるタッチパネルが触れられることで検出した指紋のデータを保持し、第２の端末が備えるタッチパネルが触れられることで検出した指紋のデータを第１の端末に送信する。そして、第１の端末に保持された指紋のデータと送信された指紋のデータとを照合する。その照合で一致が検出された場合に、第１の端末が保持した所定のデータを第２の端末に対して転送する構成とする。
【０００７】
このように構成したことで、２台の端末のそれぞれのタッチパネルを、同じユーザの同じ指で順に触れることで２台の端末間での認証処理が完了して、その２台の端末間でデータ転送が行われるようになる。
【発明の効果】
【０００８】
本発明によると、一人のユーザが転送元の端末のタッチパネルと転送先の端末のタッチパネルの双方を順に触れることで、両端末間でデータ転送が行われるので、簡単かつ確実に両端末間でデータを転送させることが可能となる。特に、２台の端末間で指紋の照合が行われるので、２台の端末のタッチパネルを触れるユーザが異なる場合には、データ転送が行われないので、誤って近傍の別の端末にデータ転送されることがなく、データの管理を適正に行うことができる。
【発明を実施するための最良の形態】
【０００９】
以下、本発明の一実施の形態を、添付図面を参照して説明する。
図１は、本実施の形態のシステム構成例の概要を示した図である。本実施の形態においては、複数台の情報表示端末Ｔ１０，Ｔ１１，Ｔ１２を用意する。情報表示端末Ｔ１０，Ｔ１１，Ｔ１２としては、ここでは携帯電話端末としてあり、それぞれの情報表示端末Ｔ１０，Ｔ１１，Ｔ１２は、通信手段を介してデータ転送が可能としてある。データ転送を行う通信手段としては、無線電話用の通信ネットワークが適用可能である。或いは、赤外線無線通信，無線ＬＡＮ用の無線通信，Ｂｌｕｅｔｏｏｔｈ（商標）などの無線通信範囲が限られた近距離無線通信を行う無線通信手段を適用してもよい。
【００１０】
それぞれの情報表示端末Ｔ１０，Ｔ１１，Ｔ１２は、タッチパネルを備えた構成としてある。タッチパネルの構成については後述するが、表示部１７や画像読み取り部１９を備えたパネルとしてある。画像読み取り部１９は、パネルに触れられた指紋を読み取る指紋検出部として機能するものである。
【００１１】
図１に示した複数台の情報表示端末Ｔ１０，Ｔ１１，Ｔ１２は、比較的近接した位置に配置してある。図１の例では、情報表示端末Ｔ１０と情報表示端末Ｔ１１とは、同じユーザＵ１０がタッチパネルとしての表示部１７を操作している状況を示してあり、別の情報表示端末Ｔ１２については、別のユーザＵ１１がタッチパネルとしての表示部１７を操作している状況を示してある。
本実施の形態においては、このような操作状況の場合に、同じユーザＵ１０が操作している２台の情報表示端末Ｔ１０，Ｔ１１の間では、データ転送を行うようにしたものである。また、操作しているユーザが違う端末間、例えば図１に示す情報表示端末Ｔ１０と情報表示端末Ｔ１２との間では、データ転送を行わないようにしたものである。
【００１２】
図２は、各情報表示端末Ｔ１０，Ｔ１１，Ｔ１２に相当する情報表示端末１０の構成例を示した図である。図２に示した情報表示端末１０は、本実施の形態での処理に必要な構成だけを示してあり、例えば情報表示端末Ｔ１０，Ｔ１１，Ｔ１２を携帯電話端末として構成させた場合に備える通話用の処理回路などは省略してある。
【００１３】
図２に従って構成を説明すると、情報表示端末１０は、情報処理の制御を行う中央制御ユニット（ＣＰＵ）１１を備え、その中央制御ユニット１１が内部バス１５を介してＲＯＭ１２，ＲＡＭ１３，ハードディスクドライブ装置１４と接続させてある。ＲＯＭ１２は、制御処理を行うプログラム（ソフトウェア）を記憶する。このプログラムには、後述するデータ転送を制御するプログラムも含まれる。端末ＩＤなどの端末固有のデータについてもＲＯＭ１２に記憶させてある。ＲＡＭ１３は、制御処理を実行するワークメモリとして使用されると共に、各種データの一時記憶を行う。後述する各種テーブルについても、このＲＡＭ１３への記憶で構成される。ハードディスクドライブ装置１４は、データを保存するデータ格納部として使用され、例えば他の端末に転送させるデータを保存する共に、他の端末から転送されたデータを保存する。なお、ハードディスクドライブ装置１４の代りに、半導体メモリなどの別の記憶手段を使用してもよい。
【００１４】
また、光センサ内蔵表示制御ドライバ１６が内部バス１５に接続してあり、その表示制御ドライバ１６の制御で表示部１７での画像や文字の表示を制御する。表示部１７は、例えば液晶表示パネルや、有機ＥＬ（Electro Luminescence）パネルなどが適用可能である。
表示部１７を構成するパネルには、タッチ検出部１８と画像読み取り部１９とが組み込んである。タッチ検出部１８は、表示部１７の表面が指などで触れられた際に、その触れられた座標位置（タッチ位置）を検出するものである。画像読み取り部１９は、表示パネルに触れられた物体又は表示パネルに近接した物体の表面を読み取る手段である。これらのタッチ検出部１８と画像読み取り部１９とは、表示部１７に一体に組み込まれている。
【００１５】
本実施の形態では、画像読み取り部１９を表示パネル表面に触れた指の指紋を検出するために使用する。画像読み取り部１９で読み取られた画像の情報は、光センサ内蔵表示制御ドライバ１６に送り、光センサ内蔵表示制御ドライバ１６で検出した画像から指紋の検出処理を行う。光センサ内蔵表示制御ドライバ１６で検出した指紋のデータや、タッチ位置のデータは、中央制御ユニット１１に送る。
中央制御ユニット１１では、タッチ位置のデータや指紋のデータに基づいて、データ転送のための制御処理を行う。
【００１６】
また情報表示端末１０は、通信部２０を備え、ネットワーク３０にデータを送出する送信処理ができると共に、ネットワーク３０を介して通信部２０に得られたデータの受信処理ができる。通信部２０での通信処理は、中央制御ユニット１１の制御に基づいて実行される。通信部２０としては、先に説明したように、無線電話用の通信ネットワークに接続させるための通信部の他に、各種近距離無線通信用の通信部が適用可能である。
【００１７】
次に、図３以降のフローチャートを参照して、本実施の形態の情報表示端末１０でのデータ転送処理例について説明する。
本実施の形態においては、表示部１７を構成するタッチパネルのタッチ操作で、近隣の他の端末との間でデータ転送が行われる。
【００１８】
図３のフローチャートは、タッチパネルでのタッチ検出時の処理例を示したものである。この処理は中央制御ユニット１１の制御に基づいて実行される。ユーザは、このタッチ操作でのデータ転送を行う際には、表示パネルを指で触れる操作を行うものである。
このように指で触れられると、タッチ検出部１８で何らかの物体が触れられたことが検出されると（ステップＳ１１）、その触れられた位置（タッチ位置）の情報が取得される（ステップＳ１２）。
タッチ位置が検出されると、表示部１７でタッチ転送を開始することを表示させ、その表示に基づいたユーザの操作などで、タッチ転送が選択されたか否か判断する（ステップＳ１３）。タッチ転送が選択されない場合には、ステップＳ２５に移って処理を終了する。
【００１９】
ステップＳ１３でタッチ転送が選択された場合には、画像読み取り部１９の出力に基づいて指紋の読み取り処理を行う（ステップＳ１４）。読み取った指紋の画像データは、中央制御ユニット１１に供給して、指紋識別用のデータである指紋ＩＤを生成させ、その指紋ＩＤをＲＡＭ１３に保存させる（ステップＳ１５）。
この指紋ＩＤは、指紋の画像データそのものを使用してもよいが、指紋のデータから例えばＭＤ５（Message Digest Algorithm 5）などのハッシュ値を得て、これを指紋ＩＤとしてもよい。
【００２０】
その後、表示パネルに表示された情報から転送させるデータの選択操作があるか否か判断する（ステップＳ１６）。この選択操作は、例えばステップＳ１２で選択されたタッチ位置に、何らかのデータが表示されている場合には、そのデータが選択されたものとして扱う。或いは、例えば表示部１７に転送可能なデータの一覧などを表示させて選択処理を行うようにしてもよい。
ステップＳ１６で選択されたと判断すると、選択されたデータのデータＩＤ（例えばファイル名）を取得し（ステップＳ１７）、ステップＳ１５で得た指紋ＩＤとステップＳ１７で得たデータＩＤとを関連づけて、データ管理テーブルとしてＲＡＭ１３に登録させる（ステップＳ１８）。
ここまでの処理が完了すると、中央制御ユニット１１の制御で、通信部２０からネットワーク３０に対して操作完了通知を送信する（ステップＳ１９）。操作完了通知の送信時には、操作完了通知データに、自らの端末ＩＤを送信元ＩＤとして付加する。また、送信先のＩＤは特に指定しない。但し、近隣にいる端末のＩＤが事前に別の処理で判っている場合には、その送信先ＩＤを付加してもよい。この操作完了通知の送信で、送信元でのタッチ検出処理を終了する（ステップＳ２５）。
【００２１】
次に、図３のフローチャートで、ステップＳ１６でデータ選択がない場合の処理（即ちデータ受信側での処理）について説明する。
ステップＳ１６でデータが選択されていないと判断した場合には、中央制御ユニット１１は、通信部２０で、他の端末から送信された操作完了通知を既に受信しているか否か判断する（ステップＳ２０）。操作完了通知を受信していない場合には、自端末に転送されるデータがないと判断して、ここでの処理を終了する。
操作完了通知を受信している場合には、その操作完了通知で示された送信元ＩＤの端末に対して、データ要求を送信する（ステップＳ２１）。このときには、ステップＳ１５で生成された指紋ＩＤを付加する。その後、通信部２０でデータを自端末宛のデータが受信されるまで待機する（ステップＳ２２）。
【００２２】
ステップＳ２２でデータを受信した場合には、正常に受信できたか否か判断し（ステップＳ２３）、受信できた場合には、受信データの保存処理を行い、ステップＳ１２で検出したタッチ位置に、データを表示させる（ステップＳ２４）。表示させるデータとしては、受信したデータのデータ名、或いはデータの本文や画像などである。この受信データの表示を行うことで、ここでのタッチ処理を終了する（ステップＳ２５）。ステップＳ２３で正常に受信できない場合にも、ここでのタッチ処理を終了する。
【００２３】
次に、図３のフローチャートのステップＳ２１でのデータ要求電文を、データの送信元端末で受信した場合の処理について、図４のフローチャートを参照して説明する。この処理についても、端末内の中央制御ユニット１１の制御で実行される。この処理はデータ要求電文を受信した際に開始される（ステップＳ３１）。まず、データ要求電文に含まれる指紋ＩＤを取出し、データ管理テーブル上に、当該指紋ＩＤが存在するか否か照合処理を行い、その照合で一致した指紋ＩＤがある場合には、その指紋ＩＤに関連づけられているデータＩＤがデータ管理テーブルに存在するか判断する（ステップ３２）。
この処理でデータＩＤが存在している場合には、該当するデータを保存先（ハードディスクドライブ装置１４など）から読み出して取得する（ステップＳ３３）。そして、データ要求電文を送信してきた要求元の端末に対して、ステップＳ３３で取得したデータを通信部２０から送信させ（ステップＳ３４）、ここでの処理を終了する（ステップＳ３６）。
また、ステップ３２での照合で一致する指紋ＩＤがない場合、あるいは一致する指紋ＩＤがあっても、関連づけられているデータが存在しない場合には、データ要求電文の送信元に対してエラーを通知し（ステップＳ３５）、処理を終了する（ステップＳ３６）。
【００２４】
次に、端末の通信部２０で、他の端末からの操作完了通知（図３のステップＳ１９で送信）を受信した場合の処理例を、図５のフローチャートを参照して説明する。
通信部２０で操作完了通知を受信したことを中央制御ユニット１１が判断すると（ステップＳ４１）、その受信した操作完了通知に含まれる端末ＩＤ（送信元の端末ＩＤ）を、転送可能なデータを保持している転送元端末の端末ＩＤとして、操作完了状態管理テーブルに登録する（ステップＳ４２）。このとき、操作完了通知をこの端末で受信した時刻の情報についても登録させる。この登録が行われることで、操作完了通知受信時の処理を終了する（ステップＳ４３）。
【００２５】
なお、ステップＳ４２で操作完了通知をこの端末で受信した時刻を登録させた場合、その登録された時刻からの経過時間をカウントする動作を行い、予め決められた時間（例えば１分など）が経過すると、操作完了状態管理テーブルから操作完了通知を破棄する。操作完了通知を破棄する時間は、ユーザ操作などで設定できるようにしてもよい。
【００２６】
また、図４のフローチャートのステップＳ３４で送信させた後には、端末内の管理テーブルに登録された指紋ＩＤは消去して、指紋ＩＤが残らないようにしてもよい。或いは、データ要求電文を送信した場合にも、そのデータ送信要求に付加させた指紋ＩＤは、端末から消去させるようにして、残らないようにしてもよい。
【００２７】
次に、このように処理が行われる情報表示端末１０を、図１に示したように３台（端末Ｔ１０，Ｔ１１，Ｔ１２）用意して通信可能に配置して、データ転送処理を行う場合の例を、図６のシーケンス図を参照して説明する。
まず、端末Ｔ１０で表示パネル上のデータＤ１０が表示された箇所を、ユーザＵ１０が指でタッチする。表示されたデータＤ１０としては、例えば電話帳データや、メール文、画像、あるいはこれらのファイル名などが想定される（処理１０１）。
その後、図３のフローチャートのステップＳ１２からステップＳ１９までの処理に相当する、タッチ転送の選択、タッチ位置取得、指紋読み取り、指紋ＩＤの生成、選択データ取得、データメモリ登録、転送準備完了の送信（処理１０２，１０３，１０４，１０５，１０６，１０７，１０８）が順に実行される。データメモリに登録される指紋ＩＤは、ユーザＵ１０の指紋ＩＤである。
【００２８】
端末Ｔ１０の端末ＩＤが付加された転送準備完了の送信（ステップＳ９１）があると、この転送準備完了は、近隣の端末である端末Ｔ１１，Ｔ１２で受信される。
ここで、端末Ｔ１０を操作したユーザＵ１０は、端末Ｔ１１の表示パネルをタッチしたとする（処理２０１）。
このタッチ処理が行われることで、図３のフローチャートのステップＳ１２からステップＳ１６と、ステップＳ２０，Ｓ２１の処理に相当する、タッチ位置取得、指紋読み取り、指紋ＩＤの生成、データ要求の送信（処理２０２，２０３，２０４，２０５）が順に実行される。
データ要求の送信（ステップＳ９２）は、端末Ｔ１１から端末Ｔ１０に対して行われ、ユーザＵ１０の指紋ＩＤが付加される。
【００２９】
このデータ要求を端末Ｔ１０で受信すると、データ要求に含まれる指紋ＩＤと管理テーブルに登録された指紋ＩＤとの照合処理が行われて、一致が検出される。一致が検出されると、ユーザＵ１０の指紋ＩＤに関連して登録されたデータＤ１０が取得され（処理１０９）、そのデータＤ１０が要求元の端末の送信先ＩＤを付けて送信される（処理１１０）。このデータＤ１０の送信（ステップＳ９３）が行われることで、端末Ｔ１１でデータＤ１０が受信されて、端末Ｔ１１の処理２０１でタッチを検出した位置に、データＤ１０を表示させる（処理２０６）。
【００３０】
図６のシーケンス図はデータ転送ができた場合であるが、２台の端末でタッチする指紋が異なる場合には、データ転送が行われないエラー状態となる。
図７のシーケンス図は、このエラー状態の例を示した図である。図７において、端末Ｔ１０で転送順完了通知がステップＳ９１で送信されるまでの処理は、図６と同じである。
そして、この例では、端末Ｔ１０をタッチしたユーザＵ１０とは別のユーザＵ１１が、端末Ｔ１２上の表示パネルをタッチしたとする（処理３０１）。
このタッチ処理が行われることで、図３のフローチャートのステップＳ１２からステップＳ１６と、ステップＳ２０，Ｓ２１の処理に相当する、タッチ位置取得、指紋読み取り、指紋ＩＤの生成、データ要求の送信（処理３０２，３０３，３０４，３０５）が順に実行される。このときの端末Ｔ１２からのデータ要求の送信（ステップＳ９４）には、ユーザＵ１１の指紋ＩＤが付加される。
【００３１】
このデータ要求を受信した端末Ｔ１０では、データ管理テーブルに記憶された指紋ＩＤ（ユーザＵ１０の指紋ＩＤ）と、送信された指紋ＩＤ（ユーザＵ１１の指紋ＩＤ）との照合で不一致が検出されて、照合に失敗し（処理１１１）、エラー通知の送信処理を行う（処理１１２）。
このようにしてエラー通知が端末Ｔ１２に対して送信され（ステップＳ９５）、端末Ｔ１２にはデータＤ１０は転送されない（処理３０６）。
なお、図７では端末Ｔ１２でのエラー処理について説明したが、端末Ｔ１１の場合でも、操作するユーザがデータ送信元の端末Ｔ１０を操作したユーザと異なる場合には、同様にエラーとなる。
【００３２】
このように本実施の形態によると、複数台の端末のそれぞれで、タッチされた指紋を検出する構成として、それぞれの端末で検出された指紋が一致した場合に、データ転送が行われるので、セキュリティが確保された状態で簡単かつ確実に端末間のデータ転送が行える。即ち、例えば２台の端末を並べて、一人のユーザの同じ指でその２台の端末の表示パネルを順に触れた場合に限ってデータ転送が行われ、もし２台の端末で別のユーザが触れた場合には、データ転送が行われないので、誤ってデータが転送されることがない。
【００３３】
また本例の場合には、転送するデータの選択や、受信側での受信データを表示する位置などの処理についても、タッチ処理で行われるようにしたので、全ての操作がタッチ処理で可能であり、データ転送のための操作が非常に簡単である効果を有する。
【００３４】
また、図５のフローチャートに示したように、操作完了通知を受信した際に、受信時刻を登録して、その受信時間から一定時間が経過することで、転送処理を無効とするようにしたことで、例えば送信元の端末をタッチしてから、ある程度時間が経過してから別の端末をタッチした際に、データが転送されてしまうことがなく、ユーザがデータを転送させたいと確実に意志を持って操作したときだけ、データ転送が行われ、この点からも確実なデータ転送が行える効果を有する。
【００３５】
また、本例の場合、指紋認証に使用されたデータは、２台の端末間でのユーザの一致を検出するためだけに使用され、その他の処理には使用されないので、指紋データが他の処理に悪用される可能性もない。特に、データ転送処理が完了することで、各端末内に記憶された指紋ＩＤを消去することで、より確実に指紋データの不正使用を防止できる。
【００３６】
なお、上述した実施の形態では、端末として携帯電話端末に適用した例について説明したが、指紋を検出することが可能なタッチパネルを備えた通信機能付きの端末であれば、その他の構成の各種端末に適用してもよい。
あるいは、各種データ処理を行うパーソナルコンピュータ装置に、本例の通信部に相当する通信処理を行うボードやカードなどを装着させ、さらに指紋認証を行うパネルを接続した上で、図３から図５のフローチャートに示した処理を実行するソフトウェア（プログラム）を、コンピュータ装置に実装させて、同様のデータ転送が行えるようにしても良い。
【００３７】
また、上述した実施の形態では、データ転送を行う端末は、近接して配置した複数台の端末を想定したが、同様のデータ転送処理を、離れた位置の端末間で行うようにしてもよい。
例えば、あるユーザの勤務先のコンピュータ装置のタッチパネルを、退社時にタッチして、送信先として自宅のコンピュータ装置を指定しておく。そして、そのユーザが自宅に帰宅した際に、自宅のコンピュータ装置のタッチパネルをタッチすることで、勤務先のコンピュータ装置から、指定したデータが自宅のコンピュータ装置に転送されるようになる。この場合には、図５のフローチャートに示した操作完了状態管理テーブルに登録した時間情報が有効な時間として、上述した例で示した１分のような短時間ではなく、移動に必要な時間（例えば１時間や２時間）などを指定しておく。このようにして、離れた位置の端末間でも、指紋認証によりユーザを特定して確実なデータ転送が行えるようになる。
【図面の簡単な説明】
【００３８】
【図１】本発明の一実施の形態によるシステム構成例を示す説明図である。
【図２】本発明の一実施の形態による通信端末の構成例を示すブロック図である。
【図３】本発明の一実施の形態によるタッチ検出時の処理例を示すフローチャートである。
【図４】本発明の一実施の形態によるデータ受信時の処理例を示すフローチャートである。
【図５】本発明の一実施の形態による操作完了通知受信時の処理例を示すフローチャートである。
【図６】本発明の一実施の形態による転送処理例を示すシーケンス図である。
【図７】本発明の一実施の形態による転送処理例（エラーの場合の例）を示すシーケンス図である。
【符号の説明】
【００３９】
１０…情報表示端末、１１…中央制御ユニット（ＣＰＵ）、１２…ＲＯＭ、１３…ＲＡＭ、１４…ハードディスクドライブ装置、１５…内部バス、１６…光センサ内蔵表示制御ドライバ、１７…表示部、１８…タッチ検出部、１９…画像読み取り部、２０…通信部、３０…ネットワーク、Ｕ１０，Ｕ１１…ユーザ、Ｔ１０，Ｔ１１，Ｔ１２…情報表示端末
【図１】
2009171234.tif 000003
【図２】
2009171234.tif 000004
【図３】
2009171234.tif 000005
【図４】
2009171234.tif 000006
【図５】
2009171234.tif 000007
【図６】
2009171234.tif 000008
【図７】
2009171234.tif 000009